【事件の表示】
　特許第３２８２７６１号「インクジェット記録用紙」の請求項１に係る特許に対する特許異議の申立てについて、次のとおり決定する。
【結　論】
　訂正を認める。
　特許第３２８２７６１号の請求項１に係る特許を取り消す。
【理　由】
1．手続きの経緯
　本件特許第３２８２７６１号の請求項１に係る発明は、平成５年９月２７日に出願され、平成１４年３月１日に特許の設定登録がなされ、その後、旭硝子株式会社より特許異議の申立てがなされ、平成１５年１月３１日付けで取消理由通知がなされ、その指定期間内である平成１５年４月１４日に訂正請求書が提出され、再度、平成１５年６月２４日付けで取消理由通知がなされたものである。
　
2．訂正の適否についての判断
2-1．訂正事項
・訂正事項ａ
　特許請求の範囲の請求項１の記載において、
「抄紙機のワイヤー上でダンディロールよって模様をつける方法、模様をつけたプレスロールによって湿紙段階でプレスマークをつける方法及び乾燥紙をエンボスカレンダーで処理してエンボスマークをつける方法から選ばれる何れかの方法によって凹凸状の模様をつけられていることを特徴とする水性インクジェット記録用紙」とあるのを、
「抄紙機のワイヤー上でダンディロールよって模様をつける方
法に
おり、水性インクで印字後目視で凹凸模様が浮き出る
・訂正事項ｂ
　明細書の段落【０００８】の記載において、「抄紙機のワイヤー上でダンディロールによって模様をつける方法、模様をつけたプレスロールによって湿紙段階でプレスマークをつける方法及び乾燥紙をエンボスカレンダーで処理してエンボスマークをつける方法から選ばれる何れかの方法によって凹凸状の模様をつけたことを特徴とするものである。」とあるのを、
「抄紙機のワイヤー上でダンディロールによって模様をつける方
法に
おり、水性インクで印字後目視で凹凸模様が浮き出る
と訂正する。
・訂正事項ｃ
　明細書の段落【００１５】の記載において、「本発明において、基紙に網目状の模様をつける方法としては、抄紙機のワイヤー上でダンディロールによって模様をつける方法、模様をつけたプレスロールによって湿紙段階でプレスマークをつける方法及び乾燥紙をエンボスカレンダーで処理してエンボスマークをつける方法がある。」とあるのを、
「本発明において、基紙に網目状の模様をつける方法としては、抄紙機のワイヤー上でダンディロールによって模様をつける方
法が
・訂正事項ｄ
　明細書の段落【００１９】の記載において、「実施例１」を、「
参考
・訂正事項ｅ
　明細書の段落【００２１】の記載において、「実施例２」の記載を、「実施例
１
・訂正事項ｆ
　明細書の段落【００２５】の表１中の「実施例１」、「実施例２」を、「
参考
１
　
2-2．訂正の目的の適否、新規事項の追加の有無、及び特許請求の範囲の拡張または変更の存否
・訂正事項ａについて
　訂正前の請求項１に係る発明の、基紙表面に凹凸状の模様をつける３種の方法を、「抄紙機のワイヤ一上でダンディロールによって模様をつける方法」のみに限定し、さらに、明細書段落【０００７】の「基紙にあらかじめ網目状等の各種凹凸模様を施し、この基紙の片面に白色顔料とバインダー樹脂とを主成分とするインク受容性被覆層を設けることによって、インクジェット方式でプリントすると高品位で高発色な画像が得られ、さらに印字物に記録用紙に施された凹凸模様が浮き出ることを見いだし、本発明を完成させるに至った。」との記載に基づき、「水性インクで印字後目視で凹凸模様が浮き出る」ものであることを限定するものであるから、特許請求の範囲の減縮を目的とするものである。
・訂正事項ｂ〜ｆについて
　訂正事項ｂ〜ｆは、明細書の記載を、訂正事項ａと整合するように訂正するものであるから、明りょうでない記載の釈明を目的とする訂正に該当する。
　そして、訂正事項ａ〜ｆは、願書に添付した明細書に記載した事項の範囲内においてなされたものであり、実質上特許請求の範囲を拡張又は変更するものではない。
　
2-3．訂正の適否の結論
　以上のとおりであるから、上記訂正は、特許法等の一部を改正する法律（平成６年法律第１１６号）附則第６条第１項の規定によりなお従前の例によるとされる、特許法第１２０条の４項第３項において準用する平成６年法律１１６号による改正前の特許法１２６条第１項ただし書き、第２項及び第３項の規定に適合するので、当該訂正を認める。
　
3．本件発明
　上記２．で示したように訂正が認められるから、本件請求項１に係る発明は、上記訂正に係る訂正明細書の特許請求の範囲請求項１に記載された次のとおりのものである。
 「【請求項１】セルロースパルプを主成分とする基紙と、この基紙の少なくとも一面上に形成され、かつ白色顔料とバインダー樹脂を主成分として含むインク受容性被覆層とを有し、前記基紙が前記インク受容性被覆層を設ける前にあらかじめ基紙表面に、抄紙機のワイヤー上でダンディロールによって模様をつける方法によって凹凸状の模様をつけられており、水性インクで印字後目視で凹凸模様が浮き出ることを特徴とする水性インクジェット記録用紙。」
　　
4．平成１５年６月２４日付けで通知した取消理由の概略
　　　刊行物１：特開昭６１−１４１５８５号公報
　　　刊行物２：特開昭５２−１４８２０８号公報
　　　刊行物３：特開昭４８−２２７０２号公報
　　　刊行物４：特開昭６０−１１０９９５号公報
　上記刊行物１には、実施例１〜３において、エンボス紙（ＮＫエンボス、ＳＫエンボス、ＫＳエンボス）である凹凸の基紙に、ポリビニルアルコールおよび酸化チタンを主成分とするインク受容層を設けた水性インクジェット記録紙、及び該水性インクジェット記録紙を水性インクで印字し、パネルテスト(1)として目視観察により、「コントラストのある、鮮明でギラツキ、テカリのない、見やすく、しかも落ち着いた画像か？」ということを総合的に画像評価して、実施例１〜３について○と表1で評価したこと、が記載されている。
　刊行物２〜４には、基紙表面に、抄紙機のワイヤー上でダンディロールによって模様をつける方法が記載されている。
　
　刊行物１の水性インクジェット記録紙は、エンボスカレンダーで処理して表面に凹凸状の模様をつけたエンボス紙を基紙とし、その上にインク受容性被覆層を設けたものである。
　その水性インクジェット記録紙を水性インクで印字後、パネルテスト(1)の目視観察により、「コントラストのある、鮮明でギラツキ、テカリのない、見やすく、しかも落ち着いた画像か？」ということを総合的に画像評価して、実施例１〜３について○と評価としたことは、本件請求項１に係る発明の「目視で凹凸模様が浮き出る」ことに相当することといえる。
　そして、刊行物２〜４に記載されるように、凹凸状の模様をつける方法として、ダンディロールによる方法は周知である。
　また、本件明細書の表１には、ダンディロールによる方法の実施例１と、エンボスカレンダー処理による参考例１とが、インク吸収性、発色の鮮やかさ、凹凸模様の有無、用紙品位において全く同等の評価であるので、紙に凹凸状の模様をつけるのに、周知であるダンディロールによる方法を採用したことによって、水性インクジェット記録紙に対して特に予想し得ないような効果を奏したとすることはできない。
　したがって、本件請求項１に係る発明は、その出願前日本国内において頒布された上記刊行物１〜４に記載された発明に基づいて、その出願前にその発明の属する技術の分野における通常の知識を有する者が容易に発明をすることができたものであるから、特許法第２９条第２項の規定により特許を受けることができない。
　　
5．むすび
　上記平成１５年６月２４日付け取消理由を通知し、期間を指定して意見書を提出する機会を与えたが、特許権者からは何らの応答もない。
　そして、上記の取消理由は妥当なものと認められるので、本件請求項１に係る特許は、この取消理由によって取り消すべきものである。
　よって、結論のとおり決定する。
【異議決定日】
平成１５年１０月８日（２００３．１０．８）
【訂正の要旨】
審決（決定）の【理由】欄参照。
（５４）【発明の名称】
インクジェット記録用紙
（５７）【特許請求の範囲】
　【請求項１】　セルロースパルプを主成分とする基紙と、この基紙の少なくとも一面上に形成され、かつ白色顔料とバインダー樹脂を主成分として含むインク受容性被覆層とを有し、前記基紙が前記インク受容性被覆層を設ける前にあらかじめ基紙表面に、抄紙機のワイヤー上でダンディロールによって模様をつける方
法に
おり、水性インクで印字後目視で凹凸模様が浮き出る
【発明の詳細な説明】
　【０００１】
　【産業上の利用分野】
　本発明は、被記録材に関し、詳しくは、優れた色彩の発色、ドット形状等の特性を持ち、かつ印字されたときに記録紙に施された凹凸状の模様が浮き出る水性インクジェット記録用シートに関するものである。
　【０００２】
　【従来の技術】
　水性インクを用いるインクジェット方式のプリンターの性能、特にプリント速度、解像度、彩度などの向上によって、被記録材に対しても高速吸収性、高吸収容量、規則的なインクにじみ等、より高度な特性が要求されるようになり、インク受容性被覆層を表面に設けたいわゆる塗工紙が開発されている。
　【０００３】
　例えば、特開昭６２−１５８０８４号公報には、微粒子合成シリカを用い、高い水性インク吸収性、色再現性及び色濃度を持つインクジェット記録媒体の製造方法が開示されている。即ち、前記した要求特性に応じるために、微粒子合成シリカのような吸液性の優れた白色顔料を主成分とする被覆層をセルロースパルプを主成分とする基紙の表面に設けることが通常実施されている。
　【０００４】
　一方、近年、インクジェットプリンターの用途拡大に伴ない、従来の書類等のオフィス文書からカラーを主に用いた広告物、特に購買時点広告（以下ＰＯＰ広告と略す）としての用途が広まっている。インクジェット記録は印刷と違い、製版する必要がないため、少量でも印刷が可能であり、コストも安くなる。
　また、ＰＯＰ広告としての用途が拡張するにつれ、従来のオフィス文書で用いられてきた白物塗工紙仕様の記録用紙から各種凹凸状の模様の入った、いわゆるファンシーペーパー仕様のインクジェット記録用紙が用紙の高品位、差別化等のため求められている。
　【０００５】
　特公昭５３−６２４３号公報には、基紙に白色顔料等を含む塗料で塗工し、すかし模様を作製する方法が開示されているが、インクジェットプリンターで印字すると吸収性が悪く、印字部のにじみ等の問題が生じ、インクジェット記録用紙としては使用できなかった。また特公昭６３−１５１４７６号公報には、支持体表面に塗工層を設ける際に、半乾燥状態で所望の表面状態を有する転写シートを重ね合わせてインクジェット記録用紙の表面状態を変える方法が開示されているが、工程が複雑でかつ、煩雑な表面状態（例えば複雑な凹凸模様等）には対応できないという問題があった。
　【０００６】
　【発明が解決しようとする課題】
　本発明は、水性インクによるインクジェット方式のプリンターを用いて高品位の画像を高速でプリントすることができ、しかも印字したときに記録紙に施された凹凸状の模様が浮き出る水性インクジェット記録用紙を提供することを目的とする。
　【０００７】
　【課題を解決するための手段】
　本発明者等は、かかる現状に鑑み表面に凹凸状の模様のある記録用紙に関して鋭意研究した結果、基紙にあらかじめ網目状等の各種凹凸模様を施し、この基紙の片面に白色顔料とバインダー樹脂とを主成分とするインク受容性被覆層を設けることによって、インクジェット方式でプリントすると高品位で高発色な画像が得られ、さらに印字物に記録用紙に施された凹凸模様が浮き出ることを見いだし、本発明を完成させるに至った。
　【０００８】
　即ち、本発明の水性インクジェット記録用紙はセルロースパルプを主成分とする基紙と、この基紙の少なくとも一面上に形成され、かつ白色顔料とバインダー樹脂を主成分として含むインク受容性被覆層とを有し、前記基紙が前記インク受容性被覆層を設ける前にあらかじめ基紙表面に、抄紙機のワイヤー上でダンディロールによって模様をつける方
法に
おり、水性インクで印字後目視で凹凸模様が浮き出る
　【０００９】
　本発明に用いられるインク受容性被覆層に用いられる顔料は多孔性でインクの吸収性が高く、且つ鮮明な発色を可能とする白色顔料を主成分とすることが好ましい。このような顔料としては、微粒子合成シリカ、沈降性炭酸カルシウム、重質炭酸カルシウム、珪酸カルシウム、水酸化アルミニウム、ホワイトカーボン、有機顔料（プラスチックピグメント）等が挙げられる。
　このような顔料の使用比率は、全被覆層固形分の５０〜９０重量％である。５０重量％未満ではインク吸収性が不十分となり、９０重量％を越えるとインク受容性被覆層の強度の低下が懸念されるので不適である。
　【００１０】
　本発明のバインダー樹脂としては、ポリビニルアルコールおよびその誘導体、カゼイン等の蛋白質、澱粉、およびその澱粉誘導体、スチレン−ブタジエン共重合体、メチルメタクリレート−ブタジエン共重合体等の共役ジエン系重合体ラテックス、アクリル酸エステルおよびメタクリル酸エステルの重合体または共重合体等のアクリル系重合体ラテックス、エチレン−酢酸ビニル共重合体等のビニル系重合体ラテックス、あるいはこれらの各種重合体のカルボキシル基、カチオン性基等の官能基含有変性重合体ラテックス、メラミン樹脂、尿素樹脂等の熱硬化樹脂等の合成樹脂系の水性接着剤、無水マレイン酸共重合樹脂系、ポリアクリルアミド系、ポリメチルメタクリレート系、ポリウレタン樹脂系、不飽和ポリエステル樹脂系、ポリビニルブチラール系、アルキッド樹脂系等の合成樹脂系接着剤などの高分子が、顔料との接着性が良く、かつ水性インクとの親和性が良いため、吸液性を向上させるので、好ましく用いられる。
　【００１１】
　インク受容性被覆層におけるバインダー樹脂の使用比率は、全被覆層固形分の１０〜５０重量％、好ましくは１０〜４０重量％である。１０重量％未満では接着力が不十分となり、被覆層の強度の低下が懸念される。一方、５０重量％を越えると接着性は大きくなるものの、顔料の使用比率が低下し、前記したようにインクの吸収性に問題が生じるので不適である。
　【００１２】
　本発明に用いられるシート支持体に含有されるパルプ材は赤松、黒松、エゾマツ、トドマツ、杉等の針葉樹、ブナ、カバ、シイノキ等の広葉樹等を主原料とした砕木パルプ、亜硫酸パルプ、クラフトパルプ、セミケミカルパルプ、ケミグランドパルプ、リファイナーグランドパルプやまたは古紙パルプから適宜選択して用いられる。
　【００１３】
　本発明で用いられるシート支持体としての基紙は、上記の木材パルプを主原料として、添加剤としてアルキルケテンダイマー、アルケニルコハク酸等の内添サイズ剤、硫酸バンド、カチオン澱粉等の定着剤、クレー、タルク、軽質炭酸カルシウム、焼成カオリン、酸化アルミニウム、水酸化アルミニウム、酸化チタン等の填料、ポリアクリルアミド系ポリマー、澱粉等の紙力増強剤等を適宜選択して内添し、公知の抄紙機で抄造された基紙が好適に用いられる。また、必要に応じてロジン系、石油樹脂系、酸化澱粉、アセチル化澱粉、ヒドロキシエチル化澱粉等の澱粉およびその誘導体、ポリビニルアルコールおよびその誘導体、スチレン、アルキド、ポリアミド、アクリル、オレフィン、マレイン酸、酢酸ビニル等の２つ以上の共重合体からなる合成樹脂系およびこれらの合成樹脂エマルジョン系、ワックス系等の表面サイズ剤でサイズ処理を施しても良い。
　【００１４】
　本発明に用いられる基紙の坪量はプリントの最終用途によって決定されるが、４０〜２００ｇ／ｍ２、望ましくは６０〜１４０ｇ／ｍ２のものが好ましく用いられる。
　【００１５】
　本発明において、基紙に網目状の凹凸模様をつける方法としては、抄紙機のワイヤー上でダンディロールによって模様をつける方
法が
　【００１６】
　本発明の塗料の塗工はバーコーター、エアナイフコーター等の公知の塗工設備が応用される。基紙上にインク受容性被覆層を設けたシートは、そのまま本発明の記録用紙として使用することが可能であるが、例えばスーパーカレンダー、グロスカレンダー等で処理し、表面の平滑性を与えることも可能である。
　【００１７】
　本発明で得られるインク吸収性被覆層の塗工量は、最終用途によって決定され、インク吸収性、記録特性、保存性等を満足させるかぎり不必要に多くする必要はなく、３〜２０ｇ／ｍ２の範囲から適宜選択して用いられる。インク受容性被覆層が３ｇ／ｍ２未満では多くの場合インク吸収容量が不足し、画像が流れ出したり、色にじみ込みが生じ、画像がぼけてしまったり、乾燥が遅くロールにインクが付着し、汚れてしまう。しかしながら、２０ｇ／ｍ２を越えるインク受容性被覆層を設けると、塗工層が厚いため紙との接着性が弱くなり、ヘッドノズルの目づまりのような問題を生じることが多く、さらにコスト的にも高価なものとなる。
　【００１８】
　【実施例】
　以下に実施例を挙げて本発明をより具体的に説明するが、勿論本発明はこれによって限定されるものではない。尚、以下において部とあるのは、すべて固形分重量部を示す。
　【００１９】
参考
　軽質炭酸カルシウム２５部を、広葉樹晒クラフトパルプ１００部のスラリー中に添加し、カチオン澱粉０．８部、アルキルケテンダイマー系中性サイズ剤０．０５部を添加し、十分に混合して抄紙原料とし、長網多筒式抄紙機を用いて水分を１０％まで乾燥させ、サイズプレスで酸化澱粉の７％溶液を両面で３ｇ／ｍ２塗布、乾燥し、水分７％まで乾燥させて米坪８２ｇ／ｍ２の上質紙を製造した。得られた上質紙を網目模様を有したエンボスロールでカレンダー処理を行ない、網目模様を持つ上質紙を作製した。
　【００２０】
　得られた模様紙の片面に実験室においてテストエアナイフコーターを用いて塗料−１を９ｇ／ｍ２の割合で塗工、乾燥して被覆層を形成し、インクジェット記録用紙を製造した。
　【００２１】
実施例
１
　軽質炭酸カルシウム２５部を、広葉樹晒クラフトパルプ８０部、針葉樹晒クラフトパルプ２０部のスラリー中に添加し、カチオン澱粉０．８部、アルキルケテンダイマー系中性サイズ剤０．０４部を添加し、十分に混合して抄紙原料とし、網目模様を有するダンディロールをワイヤー上に持つ長網多筒式抄紙機を用いて水分を１０％まで乾燥させ、サイズプレスで酸化澱粉の７％溶液を両面で３ｇ／ｍ２塗布、乾燥し、水分７％まで乾燥させて米坪１２０ｇ／ｍ２の模様紙を製造した。
　【００２２】
　得られた模様紙の片面に実験室においてテストバーコーターを用いて塗料−２を１０ｇ／ｍ２の割合で塗工、乾燥して被覆層を形成し、インクジェット記録用紙を製造した。
　【００２３】
比較例１
　軽質炭酸カルシウム２０部を、広葉樹晒クラフトパルプ１００部のスラリー中に添加し、カチオン澱粉０．７部、アルキルケテンダイマー系中性サイズ剤０．０５部を添加し、十分に混合して抄紙原料とし、長網多筒式抄紙機を用いて水分を１０％まで乾燥させ、サイズプレスで酸化澱粉の７％溶液を両面で３ｇ／ｍ２塗布、乾燥し、水分７％まで乾燥させて米坪８２ｇ／ｍ２の上質紙を製造した。
　得られた上質紙の片面に実験室においてテストエアナイフコーターを用いて塗料−１を９ｇ／ｍ２の割合で塗工、乾燥して被覆層を形成し、インクジェット記録用紙を製造した。
　【００２４】
　これらの各塗工紙の評価結果を表１に示す。インクジェット記録特性の評価は次の方法によった。
　インクジェットプリンター（Ｄｅｓｋ　Ｗｒｉｔｅｒ−Ｃ：ＨＰ社製）を用い、インク吸収性、発色の鮮やかさ、凹凸状の模様の有無および用紙品位について行なった。
　インク吸収性の評価は、プリントしたインクが乾燥するまでの秒数を測定した。５秒以下を○、６〜１０秒を△、１１秒以上を×で示した。
　発色の鮮やかさは、イエロー、マゼンタ、シアンのカラーインクの発色を目視で評価した。発色の良いものから○、△、×で示した。
　凹凸状の模様の有無は、印字後目視で模様が浮き出ているかを評価した。また、用紙の高級感、品位を目視で評価し、良いものから○、△、×で示した。
　【００２５】
　【表１】
　【００２６】
　表１からわかるように、実施例により得られたインクジェット記録用紙は、インク吸収性、発色の鮮やかさに関しては比較例の物と差もなく、印字後網目模様も浮きだして見え、インクジェット用紙に高級感あるいは品位を与えるものである。
　【００２７】
　【発明の効果】
　本発明のインクジェットプリンター記録用紙は、インクの吸収性、発色性に優れているだけでなく、印字後凹凸状の模様を生じるため、特殊用途（例えば広告等）のインクジェットプリンティングを可能とするという効果を奏する。